(57)【要約】      （修正有）【課題】握り孔を有し、人が手や手のひらで携帯電話／タブレットを持ち、かつ、他の手で簡単に安全にタッチパネルを操作できるケースを提供する。【解決手段】タブレット／携帯電話用の握り孔５を有するケースは、タブレット／携帯電話を置くための底部プレート２、タブレット／携帯電話用の底部プレートに固定される解除式保持手段３、タブレット／携帯電話をカバーするカバープレート４及び底部プレートをカバープレートに連結する弾性連結ストリップを有する。カバープレートには、矩形の握り孔が設けられ、カバープレートの長辺と平行する。使用者は携帯電話／タブレットＰＣ用ケースをしっかり掴むことができる。【選択図】図１
2018182292.tif 000002
【特許請求の範囲】
【請求項１】
タブレット／携帯電話用の握り孔を有するケースであって、
タブレット／携帯電話を置くための底部プレートと、
タブレット／携帯電話用の底部プレートに固定される解除式保持手段と、
タブレット／携帯電話をカバーするカバープレートと、
カバープレートに線状に配列され、カバープレートの長辺と平行する少なくとも一つの握り孔と、
底部プレートをカバープレートに連結する弾性連結ストリップと、
を含むことを特徴とするタブレット／携帯電話用の握り孔を有するケース。
【請求項２】
前記底部プレートと前記カバープレートは、それぞれ矩形のプレートである、
ことを特徴とする請求項１に記載のタブレット／携帯電話用の握り孔を有するケース。
【請求項３】
前記ケースは、一つの矩形の握り孔を有し、前記矩形の握り孔の長辺は前記カバープレートの長辺と平行する、
ことを特徴とする請求項１に記載のタブレット／携帯電話用の握り孔を有するケース。
【請求項４】
前記ケースは、四つの握り孔を有する、
ことを特徴とする請求項１に記載のタブレット／携帯電話用の握り孔を有するケース。
【請求項５】
前記ケースは、八つの握り孔を有する、
ことを特徴とする請求項１に記載のタブレット／携帯電話用の握り孔を有するケース。
【請求項６】
前記解除式保持手段は、四隅にそれぞれ対応する四つの弾性リングを有し、各弾性リングは、前記タブレット／携帯電話の一隅を保持し、前記タブレット／携帯電話が前記底部プレートに保持される、
ことを特徴とする請求項１に記載のタブレット／携帯電話用の握り孔を有するケース。
【発明の詳細な説明】
【技術分野】
【０００１】
本発明は、モバイルフォン及びタブレットのアクセサリーに関し、詳細にはタブレット／携帯電話用の握り孔を有するケースに関する。
【背景技術】
【０００２】
現在、携帯電話やタブレットＰＣは、大きくなる一方である。画面が大きくなり閲覧しやすくなるが、片手で携帯電話又はタブレットＰＣを握って親指でタッチパネルを操作することは、ますます難しくなり、うっかりして携帯電話又はタブレットＰＣを地面に落としてしまい、損壊することがある。従来の各種の携帯電話又はタブレットＰＣ用ケースは、保護機能、又は、電話又はタブレットＰＣを机に立てる機能のみを有し、上記問題を解決できない。
【発明の概要】
【発明が解決しようとする課題】
【０００３】
本発明の目的は、下記の思想によって実現される。本発明の目的は、上記難題を解決するために、タブレット／携帯電話用の握り孔を有するケースを提供することである。すなわち、本発明の携帯電話／タブレットＰＣ用の握り孔を有するケースによって、人が手や手のひらで携帯電話／タブレットを持ち、かつ他の手で簡単に安全にタッチパネルを操作することができるようにすることである。
【課題を解決するための手段】
【０００４】
本発明の目的を実現するために、本発明のタブレット／携帯電話用の握り孔を有するケースは、
タブレット／携帯電話を置く用の底部プレートと、
タブレット／携帯電話用の底部プレートに固定される解除式保持手段と、
タブレット／携帯電話をカバーするカバープレートと、
カバープレートに線のように配列され、カバープレートの長辺と平行する少なくとも一つの握り孔と、
底部プレートをカバープレートに連結する弾性連結ストリップと、を含む。
【０００５】
前記底部プレートと前記カバープレートはそれぞれ矩形のプレートである。
【０００６】
前記ケースは一つの矩形の握り孔を有し、前記矩形の握り孔の長辺は前記カバープレートの長辺と平行する。
【０００７】
前記ケースは四つまたは八つの握り孔を有する。
【０００８】
前記解除式保持手段は、四隅にそれぞれ対応する四つの弾性リングを有し、各弾性リングは前記タブレット／携帯電話の一隅を保持し、前記タブレット／携帯電話が前記底部プレートに保持される。
【発明の効果】
【０００９】
使用者は、指を握り孔に入れ、他の指に合わせて、ケースとタブレット／携帯電話との安定な保持を形成する。他の手の指で、タブレット／携帯電話を操作できる。
【図面の簡単な説明】
【００１０】
【図１】本発明のタブレット／携帯電話用の握り孔を有するケースの正面図であり、ケースがカバープレートに矩形の穴を有する。
【図２】図１に示すケースを示す図であり、タブレット／携帯電話がケースの底部プレートに保持される。
【図３】図１に示すケースを示す図であり、カバープレートが回転してタブレット／携帯電話をカバーしている。
【図４】ケースは、線のように配列される複数の握り孔をカバープレートに有する。
【図５】タブレット／携帯電話用の握り孔を有するケースの使用状態を示す図である。
【図６】タブレット／携帯電話用の握り孔を有するケースの使用状態を示す図である。
【発明を実施するための形態】
【００１１】
以下、添付図面を参照して、本発明の実施形態を詳細に説明する。
【００１２】
図１と図２に示すように、タブレット／携帯電話用の握り孔を有するケースは、タブレット／携帯電話を置くための底部プレート２、タブレット／携帯電話８用の底部プレート２に固定される解除式保持手段３、タブレット／携帯電話８をカバーするカバープレート４、及び底部プレート２をカバープレート４に連結する弾性連結ストリップを有する。カバープレート４には、矩形の握り孔５が設けられ、カバープレート４の長辺と平行する。
【００１３】
底部プレートとカバープレートはそれぞれ矩形のプレートである。
【００１４】
図２に示すように、解除式保持手段３は、タブレット／携帯電話８の四隅にそれぞれ対応する四つの弾性リング７を有する。各弾性リング７はタブレット／携帯電話８の一隅を保持し、タブレット／携帯電話８が底部プレート２に保持される。
【００１５】
図３に示すように、保護のため、カバープレート４が回転してタブレット／携帯電話８をカバーする。
【００１６】
図４に示すように、カバープレート４には、複数の握り孔が線状に配列され、カバープレート４の長辺と平行する。四つの握り孔を有することで、使用者は四つの指でタブレット／携帯電話とケースを保持できる。他の実施例は、八つの握り孔を有し、使用者は高い位置の握り孔又は低い位置の握り孔でタブレット／携帯電話とケースを保持でき、便利である。
【００１７】
図１と図２に示すように、解除式保持手段３は、タブレット／携帯電話８の四隅にそれぞれ対応する四つの弾性リング７を有する。各弾性リング７はタブレット／携帯電話８の一隅を保持し、タブレット／携帯電話８が底部プレート２に保持される。解除式保持手段３の本体は底部プレートに固定される。
【００１８】
図５と図６に示すように、使用者は携帯電話／タブレットＰＣ用ケースをしっかり掴むことができる。
【００１９】
（付記）
（付記１）
タブレット／携帯電話用の握り孔を有するケースであって、
タブレット／携帯電話を置くための底部プレートと、
タブレット／携帯電話用の底部プレートに固定される解除式保持手段と、
タブレット／携帯電話をカバーするカバープレートと、
カバープレートに線状に配列され、カバープレートの長辺と平行する少なくとも一つの握り孔と、
底部プレートをカバープレートに連結する弾性連結ストリップと、
を含むことを特徴とするタブレット／携帯電話用の握り孔を有するケース。
【００２０】
（付記２）
前記底部プレートと前記カバープレートは、それぞれ矩形のプレートである、
ことを特徴とする付記１に記載のタブレット／携帯電話用の握り孔を有するケース。
【００２１】
（付記３）
前記ケースは、一つの矩形の握り孔を有し、前記矩形の握り孔の長辺は前記カバープレートの長辺と平行する、
ことを特徴とする付記１に記載のタブレット／携帯電話用の握り孔を有するケース。
【００２２】
（付記４）
前記ケースは、四つの握り孔を有する、
ことを特徴とする付記１に記載のタブレット／携帯電話用の握り孔を有するケース。
【００２３】
（付記５）
前記ケースは、八つの握り孔を有する、
ことを特徴とする付記１に記載のタブレット／携帯電話用の握り孔を有するケース。
【００２４】
（付記６）
前記解除式保持手段は、四隅にそれぞれ対応する四つの弾性リングを有し、各弾性リングは、前記タブレット／携帯電話の一隅を保持し、前記タブレット／携帯電話が前記底部プレートに保持される、
ことを特徴とする付記１に記載のタブレット／携帯電話用の握り孔を有するケース。
【図１】
2018182292.tif 000003
【図２】
2018182292.tif 000004
【図３】
2018182292.tif 000005
【図４】
2018182292.tif 000006
【図５】
2018182292.tif 000007
【図６】
2018182292.tif 000008
【外国語明細書】
2018182292000001.pdf